(57)【要約】【課題】写真画像に立体感を与えることが可能な額縁を提供する。【解決手段】支持板と、第３のフレーム用枠板部と第２のフレーム用枠板部とからなるフレーム用枠板とを有し、第２のフレーム用枠板部の内周面は第1のフレーム用枠板部の内周面より内方に位置し、中央写真画像とフレーム用写真画像とで１つの写真画像を形成し、中央写真画像は、前記フレーム用写真画像よりも深い位置に位置させ、額縁の写真前方から光を当てた場合に、第１のフレーム用枠板部の内周部の下方の支持板上に第１のフレーム用枠板部の内周部の陰影が形成されるようになっていることを特徴とする。【選択図】 図３
0003171599.tif 000002
【実用新案登録請求の範囲】
【請求項１】
支持板と、
支持板上であってその周辺部に沿って設けられ、所定の露出用開口を備えたフレーム用枠板とを有し、
該フレーム用枠板は、額縁の前方から後方の方向に見て第1のフレーム用枠板部と、第１のフレーム用枠板部の下に位置する第2のフレーム用枠板部とからなり、
第２のフレーム用枠板部の内周面は第1のフレーム用枠板部の内周面より外方に位置され、
支持板には中央写真画像が露出用開口から露出する位置に配置されるようになっており、
フレーム用枠板の上面には、フレーム用枠板の上面を覆うフレーム用写真画像が配置されるようになっており、中央写真画像とフレーム用写真画像とで１つの写真画像を形成し、
中央写真画像は、前記フレーム用写真画像よりも深い位置に位置させ、中央写真画像とフレーム用写真画像とは、フレーム用枠板の上面のフレーム用写真画像と中央写真画像との間の高さ方向の距離とフレーム用枠板と中央写真画像との横方向の距離だけ離間させられ、かつ額縁の写真前方から光を当てた場合に、第１のフレーム用枠板部の内周部の陰影が該内周部の下方の第2のフレーム用枠板部の内周面と支持板上に形成されるようになっていることを特徴とする。
【請求項２】
前記フレーム用枠板は、第2のフレーム用枠板部の下方で第2のフレーム用枠板部と支持板との間に位置する第３のフレーム用枠板部を有し、第３のフレーム用枠板部の内周面は第１のフレーム用枠板部の内周面と第２のフレーム用枠板部の内周面より内方に位置し、かつ第３のフレーム用枠板部の内周面はフレーム用枠板の裏面から表面に向けて断面で見て縮小する傾斜面となっており、額縁の写真前方から光を当てた場合に、第１のフレーム用枠板部の内周部の陰影が該内周面の下方の第2のフレーム用枠板部の内周面と第3のフレーム用枠板部の上面に形成され、かつ第３のフレーム用枠板部の内周部の陰影が該内周面の下方の支持板に形成されるようになっていることを特徴とする、請求項１に記載の写真画像用額縁。
【請求項３】
支持板の上に、フレーム用枠板より離間して、高さがフレーム用枠板部より低い中央写真画像用台を設け、中央写真画像用台の上に前記中央写真画像を配置したことを特徴とする、請求項１または請求項２に記載の写真画像用額縁。
【請求項４】
中央写真画像用台の外周面は、中央写真画像用台の裏面から表面に向けて断面で見て縮小する傾斜面としたことを特徴とする、請求項３に記載の写真画像用額縁。
【請求項５】
中央写真画像用台の外周面は、中央写真画像用台の裏面から表面に向けて断面で見て拡開する傾斜面を設けたことを特徴とする、請求項３に記載の写真画像用額縁。
【請求項６】
請求項１、３乃至５のいずれかに記載の写真画像用額縁を用いた写真入り写真画像額縁であって、支持板上に中央写真画像を配置し、露出用開口から中央写真画像を露出させ、
フレーム用枠板の上面には、フレーム用枠板の上面を覆うフレーム用写真画像を配置し、中央写真画像とフレーム用写真画像とで１つの写真画像を形成し、
中央写真画像は、フレーム用写真画像よりも深い位置に位置し、中央写真画像とフレーム用写真画像とは、中央写真画像とフレーム用枠板上のフレーム用写真画像の間の高さ方向の距離とフレーム用枠板と中央写真画像との間の横方向の距離だけ離間させられ、かつ額縁の写真前方から光を当てた場合に、第１のフレーム用枠板部の内周部の陰影が第2のフレーム用枠板部の内周面と支持板上に形成されるようになっていることを特徴とする、写真入り写真画像額縁。
【請求項７】
請求項２乃至５のいずれかに記載の写真画像用額縁を用いた写真入り写真画像額縁であって、支持板上に配置した中央写真画像用台上に中央写真画像を配置し、露出用開口から中央写真画像を露出させ、
フレーム用枠板の上面には、フレーム用枠板の上面を覆うフレーム用写真画像を配置し、中央写真画像とフレーム用写真画像とで１つの写真画像を形成し、
中央写真画像は、フレーム用写真画像よりも深い位置に位置し、中央写真画像とフレーム用写真画像とは、中央写真画像とフレーム用枠板上のフレーム用写真画像の間の高さ方向の距離とフレーム用枠板と中央写真画像との間の横方向の距離だけ離間させられ、かつ額縁の写真前方から光を当てた場合に、第１のフレーム用枠板部の内周部の陰影が第2のフレーム用枠板部の内周面と第3のフレーム用枠板部の上面に形成され、かつ第３のフレーム用枠板部の内周部の陰影が該内周面の下方の支持板に形成されることを特徴とする、写真入り写真画像額縁。
【請求項８】
フレーム用枠板の上面上のフレーム用写真画像と、露出用開口から露出した中央写真画像との間で色調を互いに異ならせて１つの画像としたことを特徴とする請求項６または請求項７に記載の写真画像入り額縁。
【考案の詳細な説明】
【技術分野】
【０００１】
本考案は、写真画像用額縁及び同写真画像用額縁を用いた写真画像入りの写真画像額縁に関するものである。
【背景技術】
【０００２】
従来、カメラで撮影した写真を観賞する場合には、所要の用紙にプリントしたり、アルバムに収納したり、写真立てや額縁等を用いて飾ったりしている。
【０００３】
しかしながら、写真は平面的な画像であるので、空間的広がりや、立体的広がりに欠ける。特に、写真を額縁に入れて観賞する場合には、額縁の枠板自体は立体的に作られているため、額縁枠板の内部に入れた写真がかえって空間的、立体的に閉じ込められたように見えてしまう場合が多い。写真については、写真の周囲の一部に縁取りを設けて立体感を表現可能としたアルバムが提案されている（例えば、特許文献１参照。）。
【０００４】
【特許文献１】登録実用新案第３０６５８９７号公報
【考案の概要】
【考案が解決しようとする課題】
【０００５】
しかしながら、上記のように写真の周囲の一部に縁取りを設けただけでは十分な立体感を得ることができず、写真入りの写真画像額縁に対して立体感を生ずる手法が求められていた。
【０００６】
本考案者はこのような現状に鑑み、写真画像に立体感を与えることが可能な額縁について鋭意研究し、額縁の構造的特徴を生かすことによって立体感のある写真画像を楽しむことが可能なことを発見し、本考案に到達するに至った。
【課題を解決するための手段】
【０００７】
（１）すなわち、本考案の写真画像用額縁は、
支持板と、
支持板上であってその周辺部に沿って設けられ、所定の露出用開口を備えたフレーム用枠板とを有し、
該フレーム用枠板は、額縁の前方から後方の方向に見て第1のフレーム用枠板部と、第１のフレーム用枠板部の下に位置する第2のフレーム用枠板部とからなり、
第２のフレーム用枠板部の内周面は第1のフレーム用枠板部の内周面より外方に位置され、
支持板には中央写真画像が露出用開口から露出する位置に配置されるようになっており、
フレーム用枠板の上面には、フレーム用枠板の上面を覆うフレーム用写真画像が配置されるようになっており、中央写真画像とフレーム用写真画像とで１つの写真画像を形成し、
中央写真画像は、前記フレーム用写真画像よりも深い位置に位置させ、中央写真画像とフレーム用写真画像とは、フレーム用枠板の上面のフレーム用写真画像と中央写真画像との間の高さ方向の距離とフレーム用枠板と中央写真画像との横方向の距離だけ離間させられ、かつ額縁の写真前方から光を当てた場合に、第１のフレーム用枠板部の内周部の陰影が該内周部の下方の第2のフレーム用枠板部の内周面と支持板上に形成されるようになっていることを特徴とする。
【０００８】
さらに、本考案は、以下の構成的特徴を備えることもできる。
（２）前記フレーム用枠板は、第2のフレーム用枠板部の下方で第2のフレーム用枠板部と支持板との間に位置する第３のフレーム用枠板部を有し、第３のフレーム用枠板部の内周面は第１のフレーム用枠板部の内周面と第２のフレーム用枠板部の内周面より内方に位置し、かつ第３のフレーム用枠板部の内周面はフレーム用枠板の裏面から表面に向けて断面で見て縮小する傾斜面となっており、額縁の写真前方から光を当てた場合に、第１のフレーム用枠板部の内周部の陰影が該内周面の下方の第2のフレーム用枠板部の内周面と第3のフレーム用枠板部の上面に形成され、かつ第３のフレーム用枠板部の内周部の陰影が該内周面の下方の支持板に形成されるようになっていることを特徴とする。
（３）支持板の上に、フレーム用枠板より離間して、高さがフレーム用枠板部より低い中央写真画像用台を設け、中央写真画像用台の上に前記中央写真画像を配置したことを特徴とする上記（１）または（２）に記載の写真画像用額縁。
（４）中央写真画像用台の外周面は、中央写真画像用台の裏面から表面に向けて断面で見て縮小する傾斜面としたことを特徴とする上記（３）に記載の写真画像用額縁。
（５）中央写真画像用台の外周面は、中央写真画像用台の裏面から表面に向けて断面で見て拡開する傾斜面を設けたことを特徴とする上記（３）に記載の写真画像用額縁。
【０００９】
（６）また、本考案は上記（１）、（３）乃至（５）のいずれかに記載の写真画像用額縁を用いた写真入り写真画像額縁を提供するもので、支持板上に中央写真画像を配置し、露出用開口から中央写真画像を露出させ、
フレーム用枠板の上面には、フレーム用枠板の上面を覆うフレーム用写真画像を配置し、中央写真画像とフレーム用写真画像とで１つの写真画像を形成し、
中央写真画像は、フレーム用写真画像よりも深い位置に位置し、中央写真画像とフレーム用写真画像とは、中央写真画像とフレーム用枠板上のフレーム用写真画像の間の高さ方向の距離とフレーム用枠板と中央写真画像との間の横方向の距離だけ離間させられ、かつ額縁の写真前方から光を当てた場合に、第１のフレーム用枠板部の内周部の陰影が第2のフレーム用枠板部の内周面と支持板上に形成されるようになっていることを特徴とする。
【００１０】
（７）さらに、本考案は上記（２）乃至（５）のいずれかに記載の写真画像用額縁を用いた写真入り写真画像額縁を提供するもので、支持板上に配置した中央写真画像用台上に中央写真画像を配置し、露出用開口から中央写真画像を露出させ、
フレーム用枠板の上面には、フレーム用枠板の上面を覆うフレーム用写真画像を配置し、中央写真画像とフレーム用写真画像とで１つの写真画像を形成し、
中央写真画像は、フレーム用写真画像よりも深い位置に位置し、中央写真画像とフレーム用写真画像とは、中央写真画像とフレーム用枠板上のフレーム用写真画像の間の高さ方向の距離とフレーム用枠板と中央写真画像との間の横方向の距離だけ離間させられ、かつ額縁の写真前方から光を当てた場合に、第１のフレーム用枠板部の内周部の陰影が第2のフレーム用枠板部の内周面と第3のフレーム用枠板部の上面に形成され、かつ第３のフレーム用枠板部の内周部の陰影が該内周面の下方の支持板に形成されることを特徴とする。
【００１１】
（８）フレーム用枠板の上面上のフレーム用写真画像と、露出用開口から露出した中央写真画像との間で色調を互いに異ならせて１つの画像としたことを特徴とする上記（６）または（７）に記載の写真画像入り額縁。
【考案の効果】
【００１２】
上記（１）の構成を有する本考案の写真画像用額縁及び上記（６）の構成を有する本考案の写真入り写真画像額縁においては、第２のフレーム用枠板部の内周面は第１のフレーム用枠板部の内周面より内方に位置され、光が前方から写真に当たった場合に第１のフレーム用枠板部の内周部の陰影が第2のフレーム用枠板部の内周面と支持板上に形成され、それによって露出用開口１から露出した中央写真画像を、前記陰影がない場合に比較して、前記フレーム用枠板表面のフレーム用写真画像よりも更に深い位置に見せ、写真をより立体的に見せることができる。
上記（２）の構成を有する本考案の写真画像用額縁及び上記（７）の写真入り写真画像額縁においては、光が前方から写真に当たった場合に、第１のフレーム用枠板部の内周部の陰影が第2のフレーム用枠板部の内周面と第３のフレーム用枠板部の上面に形成されることに加え、第３のフレーム用枠板部の前記縮小傾斜面を含む内周部の陰影が支持板上に形成されるので、露出用開口から露出した中央写真画像を、前記フレーム用枠板表面のフレーム用写真画像よりも更に深い位置に見せ、写真をより立体的に見せることができる。
上記（３）の構成を有する本考案の写真画像用額縁及びそれを用いた写真入り写真画像額縁においては、フレーム用枠板と中央写真画像用台との間に、支持板を底面とする谷部が形成されるので、中央写真画像用台の上に配置した前記中央写真画像を浮き上がって見せ、写真画像を複合的に立体的に見せことができる。
上記（４）の構成を有する本考案の写真画像用額縁及びそれを用いた写真入り写真画像額縁においては、中央写真画像用台の外周面を中央写真画像用台の裏面から表面に向けて断面で見て縮小する傾斜面としたことにより、中央写真画像の外周部によって更に深まった位置を感じさせ、写真画像を複合的に立体的に見せことができる。さらに、中央写真画像の外周部を傾斜部に延在させると、中央部写真画像の周辺部が後退して見えることにより、より複雑な立体感が得られる。
【００１３】
上記（５）の構成を有する本考案の写真画像用額縁及びそれを用いた写真入り写真画像額縁においては、中央写真画像用台の外周面を中央写真画像用台の裏面から表面に向けて拡開する傾斜面としたことにより、光が前方から写真画像に当たった場合に、拡開する傾斜面を含む中央写真画像用台の内周部の陰影が支持板に形成されるので、中央写真画像が支持板から浮き上がって見え、より複雑な写真の立体感が得られる。
上記（７）の構成を有する本考案の写真入り額縁においては、フレーム用枠板２の表面のフレーム用写真画像と、露出用開口から露出した中央写真画像との間で色調を互いに異ならせているので、両者の間の遠近感が強調され、より大きい視覚的な奥行感を生じ写真を更により立体的に見せる。
【００１４】
その場合、フレーム用写真画像の鮮明度（トーン）を露出用開口から露出した中央写真画像の鮮明度（トーン）より低くすると、中央写真画像には焦点が合うが、フレーム用写真画像には焦点が合い難くなり、露出用開口から露出した中央写真画像を強調することができ、より強い立体感を得ることができる。
【図面の簡単な説明】
【００１５】
【図１】本考案の第１の実施態様に係る写真画像用額縁の分解図である。
【図２】本考案の第１の実施態様に係る写真画像用額縁を用いて形成した写真入り写真画像額縁の断面図である。
【図３】図３の写真画像入り写真画像額縁の断面図の左側に位置するフレーム枠板部分の拡大図である。
【図４】本考案の第１の実施態様に係る写真画像用額縁を用いて作製した写真画像入り写真画像額縁の模式的斜視図である。
【図５】本考案の第２の実施態様に係る写真画像入り写真画像額縁の組立断面図である。
【図６】本考案の第２の実施態様に係る写真画像入り写真画像額縁の斜視図である。
【図７】本考案の第３の実施態様に係る写真画像入り写真画像額縁の組立断面図である。
【図８】本考案の第４の実施態様に係る写真画像用額縁の分解図である。
【図９】本考案の第４の実施態様に係る写真入り写真画像額縁の組立断面図である。
【図１０】図９の写真画像入り写真画像額縁の断面図の左側に位置するフレーム枠板部分の拡大図である。
【図１１】本考案の第５の実施態様に係る写真画像入り写真画像額縁の断面図である。
【図１２】本考案の第６の実施態様に係る写真画像入り写真画像額縁の断面図である。
【図１３】図１１の本考案の第５の実施態様に係る写真画像入り写真画像額縁の斜視図である。
【考案を実施するための形態】
【００１６】
以下に本考案について詳細に説明する。
（１）支持板
支持板の上面の周辺部には、フレーム用枠板が配置され、フレーム用枠板の露出用開口から見える位置に中央写真画像が配置される。支持板は、木板、厚紙、プラスチック板等の適当な材料から形成し、厚みは、例えば１ｍｍ〜１０ｍｍとすることができる。
また、中央写真画像とフレーム用枠板との間から外部に見える支持板の上面に色を塗ることによって特殊な効果を得ることができる。例えば、ブルーに塗ることによって、写真の中の水や空の青さと同調させ、それにより中央写真画像に広がりを出すことができる。（２）フレーム用枠板
本考案の写真画像用額縁のフレーム用枠板は、中央に設けた所定の露出用開口を有し、支持板上でその周辺部に配置され、露出用開口から支持板上あるいは支持板上の中央写真画像用台の上面に配置した中央写真画像を露出させる。写真画像用額縁前方から見て、フレーム用枠板は、第１のフレーム用枠板部と、その下の第２のフレーム用枠板部とからなる。
【００１７】
第２のフレーム用枠板部の内周面は第1のフレーム用枠板部の内周面より外方に位置する。フレーム用枠板が、第１のフレーム用枠板部と、第２のフレーム用枠板部、その下の支持板上に配置された第3のフレーム用枠板部とからなる場合には、第３のフレーム用枠板部の内周面は第１のフレーム用枠板部の内周面と第２のフレーム用枠板部の内周面より内方に位置され、かつ第３のフレーム用枠板部の内周面にはフレーム用枠板の裏面から表面に向けて断面で見て縮小する傾斜面が設けられている。これらの構成による効果は、前述の通りであるので、省略する。
【００１８】
ここに、「外方」とは写真画像用額縁の中央に引いた垂直線から見て、より外側に位置する場合を「外方」といい、「内方」とは写真画像用額縁の中央の垂直線から見て、より内側に位置する場合を「内方」と言う。「縮小」とは、写真画像用額縁の中央に引いた垂直線に対する距離が短くなることを言い、「拡開」とは写真画像用額縁の中央に引いた垂直線に対する距離が長くなることを言う。第１のフレーム用枠板部と第２のフレーム用枠板部と、あるいは第１のフレーム用枠板部と第２のフレーム用枠板部と、第３のフレーム用枠板部の外周面は同一形状としてもよく、異なる形状とすることによってフレームの外周面を凹凸形状としても良い。フレーム用枠板の第１のフレーム用枠板部と、第２のフレーム用枠板部と、第３のフレーム用枠板部は木板、厚紙板、プラスチック板等の適当な材料から形成することができ、第１のフレーム用枠板部と、第２のフレーム用枠板部と、第３のフレーム用枠板部２ｃの厚みは、額縁の寸法にも依存するが、例えば１ｍｍ〜１０ｍｍとすることができる。本考案の写真画像用額縁は四角形のみならず、三角形、五角形等の多角形、円形、楕円形、不定形等の形状とすることができる。図では、フレーム用枠板の露出用開口として１つの略矩形状を採用しているが、１つに限定するものではなく複数の露出用開口を設けてもよく、また略矩形状に限らず、丸型や楕円型等の任意の形状とすることもできる。
【００１９】
（３）中央写真画像、フレーム用写真画像
支持板上あるいは支持板上に配置した中央写真画像支持台上であってフレーム用枠板の露出用開口から見える位置に中央写真画像を配置し、フレーム用枠板の上面には、フレーム用枠板を覆うフレーム用写真画像を配置する。なお、中央写真画像は、その外縁がフレーム用枠板から内方に位置させても良いし、外縁が支持板とフレーム用枠板との間に介装されていても良い。後者の場合には、中央写真画像とフレーム用枠板との距離はゼロとなる。中央写真画像及びフレーム用写真画像の作成方法及び写真画像用額縁に配置する方法は後述する。
【００２０】
（４）中央写真画像用台
中央写真画像用台は、支持板の上に配置され、フレーム用枠板より離間して、高さがフレーム用枠板より低い。例えば、フレーム用枠板が第１、第２のフレーム用枠板部からなる場合には、中央写真画像用台の高さは第２のフレーム用枠板部より高くかつ第1のフレーム用枠板部の底面位置より低くする。また、フレーム用枠板が第１、第２、第３のフレーム用枠板部からなる場合には、中央写真画像用台の高さは第３のフレーム用枠板部より高くかつ第1のフレーム用枠板部の底面位置より低くする。中央写真画像用台を設ける場合には、中央写真画像を中央写真画像用台を介して支持板の上に配置することになる。この場合、フレーム用枠板と中央写真画像用台の間に、支持板を底面とする谷部が形成されるので、中央写真画像用台の上に配置した前記中央写真画像を浮き上がって見せ、写真画像を複合的により立体的に見せることができる。また、中央写真画像用台の外周面は、裏面から表面に向けて断面で見て縮小する傾斜面あるいは拡開する傾斜面とすることができる。中央写真画像用台は、木板、厚紙、プラスチック板等の適当な材料から形成し、厚みは、例えば１ｍｍ〜７ｍｍとすることができる。
【００２１】
（５）中央写真画像及びフレーム用写真画像の作製方法及び配置方法
中央写真画像、フレーム用写真画像は、以下のようにして作製する。
まず、中央写真画像を画像処理装置に取り込み、画像処理ソフトウェアを用いて適宜補正処理を加え、プリンタを用いて中央写真画像用原紙上に印刷を行ない、中央写真画像を作製する。中央写真画像用原紙としては、白紙あるいは白以外のカラー用紙あるいは写真印刷専用用紙を用いることができる。得られた中央写真画像は、両面テープあるいは適宜の接着剤を用いてフレーム用枠板の露出用開口から見える支持板の位置に固定、配置する。中央写真画像を固定・配置する場合、確実に固定でき必要に応じて取り外しすることができる方法を用いてもよい。
【００２２】
次に、中央写真画像に連続してその周囲に位置させるフレーム用写真画像を含むフレーム用写真画像原版を得る。まず、必要に応じ画像処理装置を用いて写真の色調を調整する。例えば、より鮮色度（トーン）の低いフレーム用写真画像あるいは白黒のモノトーンに調整してトーンの低い色調あるいはモノトーン画像を作成し、プリンタを用いてフレーム用写真画像紙に印刷を行ない、フレーム用写真画像原版を得る。  次ぎに、フレーム用写真画像原版の所定の位置を、露出用開口に対応させて、カッター等を用いて切り抜き、フレーム用写真画像を得る。この時、切断開口をフレーム用枠板の露出用開口より少し小さく切り、フレーム用写真画像を第1のフレーム用枠板部に接着剤等により固定し、フレーム用写真画像の内周部を内側に折り込んで第1のフレーム用枠板部と第２のフレーム用枠板部との間に挟んで接着剤等の適当な手段で固定する。次に、フレーム用写真画像を有するフレーム用枠板を、支持板あるいは支持板上に固定した中央写真画像の外縁部上に固定する。
また、第３のフレーム用枠板部を使用する場合には、支持板に接着剤等の適当な手段で第３のフレーム用枠板部を固定し、フレーム用写真画像を固定した第1のフレーム用枠板部と第２のフレーム用枠板部を、両面テープ、接着剤、あるいは他の確実に固定できる方法のいずれかの方法を用いて第３のフレーム用枠板部上面に固定する。それによって、写真画像入り写真画像額縁を得ることができる。
【００２３】
フレーム用枠板の第1のフレーム用枠板部の上面にフレーム用写真画像を配置する場合には、露出用開口から露出させた中央写真画像と、フレーム用枠板の表面のフレーム用写真画像が、略連続的な一つの写真画像を形成するようにする。中央写真画像はフレーム用枠板表面のフレーム用写真画像よりも深い位置に位置し、フレーム台紙上のフレーム用写真画像と中央写真画像との間の高さ方向の距離と横方向の距離だけフレーム用写真画像と離間している。したがって、中央写真画像とフレーム用写真画像との間に多少の位置的なズレは視覚的に許容される。
【００２４】
得られた写真画像入り写真画像額縁は、さらに装飾用の額の中に収容してより観賞性を高めても良いし、あるいは第３のフレーム用枠板部、第２のフレーム用枠板部および第1のフレーム用枠板部の外周部に装飾的意匠を施しても良い。
【実施例】
【００２５】
以下に、本考案を図示する実施態様を参照して詳細に説明する。  
図１は、本考案の第1の実施態様に係る矩形形状の写真画像用額縁の分解図であり、図２はそれらを用いて組立てた写真画像入り写真画像額縁の断面図であり、図３は図２の左端部の拡大図である。写真画像用額縁は、支持板１と、支持板１の周辺部の上面に固定されたフレーム用枠板２とを有し、フレーム用枠板２は中央に露出用開口３を有し、額縁前方から見て、第１のフレーム用枠板部２ａと、その下に配置され第１のフレーム用枠板部２ａより幅の狭い第２のフレーム用枠板部２ｂ（本実施態様では、幅は約１／２）とから構成される。
【００２６】
図中、２ａｏと２ｂｏはそれぞれ第１及び第２のフレーム用枠板部２ａ，２ｂの内周部を示し、４ａと４ｂはそれぞれ中央写真画像及びフレーム用写真画像を示す。本実施態様では、支持板１と、フレーム用枠板２の第１、第２のフレーム用枠板部２ａ、２ｂとの外周形状は同一とされている。
【００２７】
図２及び図３に示す写真画像入り写真画像額縁おいては、露出用開口３に対応させて中央写真画像４ａを支持板１の上面に接着固定し、支持板１上に第２のフレーム用枠板部２ｂを接着固定し、フレーム用写真画像４ｂを第1のフレーム用枠板部２ｃの上面に接着固定し、フレーム用写真画像４ｂの内周部を折り返して第２のフレーム用枠板部２ｂと第1のフレーム用枠板部２ｃとの間に介装し、これらを接着固定している。折り返す場合に、図２に示すように丸みを付けて折り返しても良いし、第１のフレーム用枠板部２ａの内周面に沿って折り返しても良い。中央写真画像４ａとフレーム用枠板の表面のフレーム用写真画像４ｂとが略連続的な一つの写真画像を形成するように、フレーム用写真画像４ｂをフレーム用枠板２の第1のフレーム用枠板部２ａの上面に配置する。
【００２８】
図３に示す写真画像入り写真画像額縁では、中央写真画像は、前記フレーム用写真画像よりも深い位置に位置し、中央写真画像４ａとフレーム用写真画像４ｂとは、フレーム用枠板２と中央写真画像４ａとの間の高さ方向の距離とフレーム用枠板２と中央写真画像４ａとの横方向の距離だけ離間させられ、かつ額縁の写真前方から光を当てた場合に、第１のフレーム用枠板部２ａの内周部の下方の第２のフレーム用枠板部２ｂの内周面２ｂｏと支持板上（図３のＡで示す箇所）に第１のフレーム用枠板部１ａｏの内周部の陰影が形成される。これにより、中央写真画像４ａとフレーム用写真画像とによって立体感に優れた１つの写真画像を得ることができる。
【００２９】
図４は、支持板の上面に配置し露出用開口から露出する中央写真画像４ａとフレーム枠板の上面に配置されたフレーム用写真画像４ｂとで１つの写真画像が形成された、写真画像入り写真画像額縁の一例を示す斜視図である。本写真画像は砂漠のサボテンと太陽の写真画像であり、フレーム用写真画像４ｂのトーンが中央写真画像４ａのトーンよりも低くされている。
【００３０】
図５は、本考案の写真画像入り写真画像額縁の第２の実施態様を示す。第２の実施態様は、支持板１の上面に中央写真画像用支持台５を設置した点以外は、図1乃至図４に示す第1の実施態様と構成が同一である。したがって、重複する点については説明を省略し、異なる点について説明をする。本実施態様では、支持板１の上に、フレーム用枠板２より離間して、高さが第２のフレーム用枠板部２ｂより高くフレーム用枠板２より低い中央写真画像用支持台５を設け、前記中央写真画像４ａと支持板１の上面との間に中央写真画像用支持台５を介装している。フレーム用枠板２と中央写真画像用支持台５との間に、支持板を底面とする谷部が形成されるので、中央写真画像用支持台５の上に配置した前記中央写真画像４ａを浮き上がって見せ、写真を複合的により立体的に見せることができる。また、中央写真画像用支持台５の外周面は、裏面から表面に向けて断面で見て縮小する傾斜面とされているので、中央写真画像が浮き上がって見える。中央写真画像４ａの周辺部を中央写真画像用支持台５の傾斜面５ｏにも延在させると、中央写真画像４ａの周辺部が後退しているので中央写真画像４ａの奥行きが更に深くなる。
【００３１】
図６は、図５の本考案の写真画像入り写真画像額縁の第２の実施態様の斜視図である。図６から明らかなように、第１のフレーム用枠板部２ａに巻き付けたフレーム用写真画像の下方に第１のフレーム用枠板部２ａの内周部の陰影ができ、フレーム用枠板２と中央写真画像用支持台５との間に、支持板を底面とする谷部が形成されているのが分かる。
【００３２】
図７は、本考案の写真画像入り写真画像額縁の第３の実施態様を示す。第３の実施態様は、支持板１の上面に中央写真画像用支持台６を設置した点以外は、図５、図６に示す第２の実施態様と構成が同一である。したがって、重複する点については説明を省略し、異なる点について説明をする。中央写真画像用支持台６の外周面は、裏面から表面に向けて断面で見て拡開する傾斜面とされているので、光を額縁の前方から当てた場合に、中央写真画像用支持台６の外周部の下方の支持板１上に、さらに中央写真画像用支持台６の外周部の陰影もできる。したがって、第１のフレーム用枠板部２ａの内周部による陰影効果及び中央写真画像用支持台６の外周部の陰影効果によって、中央写真画像が浮き上がって見え、より立体的な写真画像が観賞できる。
【００３３】
図８乃至図１０は、本考案の写真画像入り写真画像額縁の第４の実施態様を示す。図８は、本考案の第４の実施態様に係る矩形形状の写真画像用額縁の分解図であり、図９はそれらを用いて組立てた写真画像入り写真画像額縁の断面図であり、図１０は図９の左端部の拡大図である。第４の実施態様は、フレーム用枠板１２が第１のフレーム用枠板１２ａ、その下の第２のフレーム用枠板部２ｂと、その下の第３のフレーム用枠板部１２ｃとからなり、第３のフレーム用枠板部１２ｃが支持板の上面に固定されている点以外は、図１乃至図４に示す第１の実施態様と同一であるので、重複する点については説明を省略し、異なる点について説明をする。なお、図１２の第１、第２のフレーム用枠板部１２ａと１２ｂは図１の第１、第２のフレーム用枠板部１２ａと１２ｂと同一である。
【００３４】
第４の実施態様では、第３のフレーム用枠板部１２ｃの内周面は裏面から表面に向けて拡開する傾斜面とされ、第３のフレーム用枠板部１２ｃの内周面は第１、第２のフレーム用枠板部１２ａ、１２ｂの内周面の内方に位置している。第４の実施態様では、光を額縁の前方から当てた場合に、第１のフレーム枠板部１２ａの内周部の陰影が該内周部の下方の第３のフレーム枠板部１２ｃの上面にできるとともに、第３のフレーム枠板部１２ｃの内周部の陰影が該内周部の支持板１の上面にできる。従って、より奥行き感のある写真画像が観賞できる。
【００３５】
第４の実施態様では、フレーム用枠板１２の第２のフレーム用枠板部１２ｂの内周面１２ｂｏは第1のフレーム用枠板部１２ｃの内周面１２ｃｏより外方に位置され、第３のフレーム用枠板部１２ｃの内周面１２ｃｏは第１のフレーム用枠板部１２ａｏと第２のフレーム用枠板部１２ｂの内周面１２ｂｏより内方に位置され、かつ第３のフレーム用枠板部１２ｃの内周面１２ｃｏはフレーム用枠板の裏面から表面に向けて断面で見て縮小する傾斜面とされている。本実施態様では、額縁の写真前方から光を当てた場合に、第３のフレーム用枠板部１２ｃの傾斜面１２ｃｏの下方の支持板１上に第３のフレーム用枠板部１２ｃの内周部の陰影が形成されるとともに、第1のフレーム用枠板部１２ａの内周部の陰影が第２のフレーム用枠板部１２ｂの内周面１２ｂｏ及び第３のフレーム用枠板部１２ｃの上面に形成されるので、フレーム用写真画像４ｂに対して中央写真画像４ａの奥行感がより一層深まり写真画像の立体感がより一層強くなる。
【００３６】
図１１及び図１２は、それぞれ本考案の写真画像入り写真画像額縁の第５、第６の実施態様を示す。第５、第６の実施態様では、支持板１の上面に中央写真画像用支持台を設置した点以外は、図８乃至図１０に示す第４の実施態様と構成が同一である。したがって、重複する点については説明を省略し、異なる点について説明をする。第５の実施態様では、支持板１の上に、フレーム用枠板１２より離間して、高さが第３のフレーム用枠板部１２ｃより高くかつ第1のフレーム用枠板部１２ａの底面より低い中央写真画像用支持台５を設け、前記中央写真画像４ａを支持板１の上面ではなく中央写真画像用支持台５の上に配置している。フレーム用枠板部２と中央写真画像用支持台５との間に、支持板を底面とする谷部が形成されるので、中央写真画像用支持台５の上に配置した前記中央写真画像４ａを浮き上がって見せ、写真を複合的により立体的に見せることができる。また、中央写真画像用支持台５の外周面は、裏面から表面に向けて断面で見て縮小する傾斜面とされているので、中央写真画像が浮き上がって見える。また、中央写真画像４ａの周辺部を中央写真画像用支持台５の傾斜面５ｏにも延在させると、中央写真画像４ａの周辺部が後退しているので中央写真画像４ａに更に奥行きが出て、写真画像の奥行きが更に深くなる。
【００３７】
図１２に示す本考案の写真画像入り写真画像額縁の第６の実施態様は、中央写真画像用支持台６の外周面は、裏面から表面に向けて断面で見て拡開する傾斜面とされている点を除くと第５の実施態様と同一である。中央写真画像用支持台６の外周面を裏面から表面に向けて断面で見て拡開する傾斜面としてあるので、光を額縁の前方から当てた場合に、中央写真画像用支持台６の外周部下方の支持板１の上にその陰影ができ、より立体的な写真画像が観賞できる。
【００３８】
図１３は、図１１に示す本考案の写真画像入り写真画像額縁の第５の実施態様の斜視図を示す。図１３の写真画像は、図４、図６のサボテンと太陽と同じ題材である。
【００３９】
本考案について、図示する具体的な実施態様に基づいて説明をした。しかしながら、本考案は上記のものに限定されるものではなく、本考案は以下の実施態様も可能である。
（１）上記実施態様では、フレーム用枠板を第１のフレーム用枠板部と第２のフレーム用枠板部、あるいは及び第１のフレーム用枠板部と、第２のフレーム用枠板部及び第３のフレーム用枠板部から構成したが、第３のフレーム用枠板部を２枚またはそれ以上の枚数の第３のフレーム用枠板部で構成した実施態様も、これらの複数の第３のフレーム用枠板部を全体で一つの第３のフレーム用枠板部と見ることができ、この実施態様も本考案に含まれる。
（２）第２のフレーム用枠板部と第３のフレーム用枠板部とを一体として形成することもでき、このような態様も本考案のフレーム用枠板に含まれる。
【符号の説明】
【００４０】
１・・・ 支持板、２・・・フレーム用枠板、２ａ・・・第３のフレーム用枠板部、２ｂ・・・第２のフレーム用枠板部、２ｃ・・・第1のフレーム用枠板部、２ａｏ・・・傾斜面、２ｂｏ、２ｃｏ・・・内周面、３・・・露出用開口、４ａ・・・中央写真画像、４ｂ・・・フレーム用写真画像、５、６・・・中央写真画像用支持台、５ｏ、６ｏ・・・傾斜面、１２ａ・・・第３のフレーム用枠板部，１２ｂ・・・第２のフレーム用枠板部，１２ｃ・・・第1のフレーム用枠板部、１２ａｏ・・・傾斜面，１２ｂｏ・・・内周面，１２ｃｏ・・・内周面
【図１】
0003171599.tif 000003
【図２】
0003171599.tif 000004
【図３】
0003171599.tif 000005
【図４】
0003171599.tif 000006
【図５】
0003171599.tif 000007
【図６】
0003171599.tif 000008
【図７】
0003171599.tif 000009
【図８】
0003171599.tif 000010
【図９】
0003171599.tif 000011
【図１０】
0003171599.tif 000012
【図１１】
0003171599.tif 000013
【図１２】
0003171599.tif 000014
【図１３】
0003171599.tif 000015
【手続補正書】
【提出日】平成23年9月2日(2011.9.2)
【手続補正１】
【補正対象書類名】実用新案登録請求の範囲
【補正対象項目名】請求項１
【補正方法】変更
【補正の内容】
【請求項１】
支持板と、
支持板上であってその周辺部に沿って設けられ、所定の露出用開口を備えたフレーム用枠板とを有する写真画像用額縁であって、
該フレーム用枠板は、額縁の前方から後方の方向に見て第1のフレーム用枠板部と、第１のフレーム用枠板部の下に位置する第2のフレーム用枠板部とからなり、
第２のフレーム用枠板部の内周面は第1のフレーム用枠板部の内周面より外方に位置され、
支持板には中央写真画像が露出用開口から露出する位置に配置されるようになっており、
フレーム用枠板の上面には、フレーム用枠板の上面を覆うフレーム用写真画像が配置されるようになっており、中央写真画像とフレーム用写真画像とで１つの写真画像を形成し、
中央写真画像は、前記フレーム用写真画像よりも深い位置に位置させ、中央写真画像とフレーム用写真画像とは、フレーム用枠板の上面のフレーム用写真画像と中央写真画像との間の高さ方向の距離とフレーム用枠板と中央写真画像との横方向の距離だけ離間させられ、かつ額縁の写真前方から光を当てた場合に、第１のフレーム用枠板部の内周部の陰影が該内周部の下方の第2のフレーム用枠板部の内周面と支持板上に形成されるようになっていることを特徴とする、写真画像用額縁。
【手続補正２】
【補正対象書類名】実用新案登録請求の範囲
【補正対象項目名】請求項８
【補正方法】変更
【補正の内容】
【請求項８】
フレーム用枠板の上面上のフレーム用写真画像と、露出用開口から露出した中央写真画像との間で色調を互いに異ならせて１つの画像としたことを特徴とする請求項６または請求項７に記載の写真入り写真画像額縁。